(57)【特許請求の範囲】
【請求項１】
本体キャビネットの前面に開閉可能に配設されると共に商品ディスプレイ室を有する外扉を備え、前記商品ディスプレイ室に設けた取付金具に広告等を表示する表示部材を吊下げ方式に設置し、前記商品ディスプレイ室の透明パネル越しに表示部材を視認可能な自動販売機において、
前記取付金具に透明パネルと反対方向に向いたカール状のフックを形成すると共に前記表示部材に前記フックに係合する係合穴を形成し、
前記表示部材を前記商品ディスプレイ室の透明パネルに平行な鉛直方向を向いた姿勢の状態でカール状のフックに係合・離脱可能なように、前記係合穴をカール状のフックのカールの鉛直方向長さよりも大きく形成し、かつ、前記係合穴をカール状のフックに係合させた状態で前記表示部材が前記透明パネルから離隔するように傾斜した場合、前記係合穴の縁部がカール状フックのカール内壁を支点として揺動するように、前記係合穴の上縁と表示部材の上縁との間の梁部分の長さをカール状フックのカール内径より小さく形成したことを特徴とする自動販売機。
【発明の詳細な説明】
【技術分野】
【０００１】
この発明は、商品を収納する本体キャビネットの前面に開閉可能に配設されると共に商品ディスプレイ室を有する外扉を備え、前記商品ディスプレイ室の透明パネル越しに当該商品ディスプレイ室内に設置された会社名・商品名を表すロゴタイプや広告等を表示する表示部材を視認可能な自動販売機に関するものであり、特に、表示部材の着脱の容易性を維持しつつ表示部材の脱落防止を図った自動販売機に関するものである。
【背景技術】
【０００２】
例えば、缶入り飲料やペットボトル入り飲料などの商品を販売する自動販売機として、断熱構造になる本体キャビネットの前面にヒンジ機構により開閉可能に取り付けられた外扉を備え、この外扉に形成された商品ディスプレイ室に商品見本を展示するとともに会社名や商品名を表すロゴタイプや広告等を表示する表示部材を設置し、商品ディスプレイ室の前面に設けた透明パネル越しに表示部材を視認可能としたたもの（例えば、特許文献１）、また、商品収納庫内に上下段、左右列に配列してなる複数のコラムを有し、当該各コラムに商品を前後方向に一列に並べて収納した本体キャビネットの庫内を閉塞する断熱扉および前記本体キャビネットの前面にヒンジ機構により開閉可能に取り付けられた外扉を備え、前記断熱扉および外扉に庫内のコラムに応じて大きく形成されると共に各コラムの商品を透視可能な透明パネルを設けて商品ディスプレイ室をなし、前記外扉の透明パネルと庫内の各コラムに収納した商品との間に表示部材を配設し、外扉の透明パネル越しに表示部材を視認可能としたもの（例えば、特許文献２）が知られている。
前記各特許文献１に開示された自動販売機においては表示部材を商品ディスプレイ室に吊下げるように配設するため、商品ディスプレイ室の背面を形成する中扉にフックを形成すると共に当該フックに対応して表示部材の上部に係止孔を形成し、表示部材の係止孔を前記フックに係止して吊下げ、表示部材の下端を中扉とこの中扉に固着される商品見本を載置して展示するディスプレイ台との間に挟み付けるように構成されている。前記特許文献２に開示された自動販売機においては表示部材を商品ディスプレイ室に吊下げるように配設するため、外扉の透明パネルを保持するチャンネル部材にフックを形成すると共に当該フックに対応して表示部材の上部に係止孔を形成し、表示部材の係止孔を前記フックに係止して吊下げるように構成されている。
【特許文献１】特開平９−２９３１６７号公報
【特許文献２】特開平９−１１５０４３号公報
【発明の開示】
【発明が解決しようとする課題】
【０００３】
前記特許文献１に開示された自動販売機における表示部材は中扉に固着された上下複数段のディスプレイ台間の寸法に略一致するように比較的大きく形成されており、表示部材の下端が、中扉と、この中扉に固着される商品見本を載置して展示するディスプレイ台との間に挟み付けるように構成されている。このため、表示部材は振動や風（例えば、商品見本の交換のために外扉および中扉を開放した状態では表示部材が風に晒される）に煽られて脱落するおそれはないものの、表示部材の交換の際にはディスプレイ台を取り外さねばならず、交換作業が煩雑であるという課題を有する。
一方、特許文献２に開示された自動販売機における表示部材はフックに引っ掛けて吊下げられているのみであることから、その交換作業は容易である反面、振動や風に煽られた場合に表示部材が脱落してしまうおそれがある。これは表示板が比較的小形で特許文献１に開示されているように表示部材の周囲を固定することが困難な場合に顕著である。このような表示部材の脱落を防止するために付属部品を設けて表示部材を固定することも考えられるが、商品ディスプレイ室の透明パネル越しに視認可能であることから見栄えを損なうことなく付属部品により表示部材を固定するとなると、構造が複雑となって表示部材の交換作業が煩雑となることが予想され、何よりも付属部品の追加によりコストアップとなる。
【０００４】
そこで、本発明は前述した従来装置の課題を解決し、表示部材の交換作業を損なうことなく表示部材の脱落を防止することが可能な自動販売機を提供することを目的とする。
【課題を解決するための手段】
【０００５】
前記目的を達成するために、請求項１に係る発明は、本体キャビネットの前面に開閉可能に配設されると共に商品ディスプレイ室を有する外扉を備え、前記商品ディスプレイ室に設けた取付金具に広告等を表示する表示部材を吊下げ方式に設置し、前記商品ディスプレイ室の透明パネル越しに表示部材を視認可能な自動販売機において、前記取付金具に透明パネルと反対方向に向いたカール状のフックを形成すると共に前記表示部材に前記フックに係合する係合穴を形成し、前記表示部材を前記商品ディスプレイ室の透明パネルに平行な鉛直方向を向いた姿勢の状態でカール状のフックに係合・離脱可能なように、前記係合穴をカール状のフックのカールの鉛直方向長さよりも大きく形成し、かつ、前記係合穴をカール状のフックに係合させた状態で前記表示部材が前記透明パネルから離隔するように傾斜した場合、前記係合穴の縁部がカール状フックのカール内壁を支点として揺動するように、前記係合穴の上縁と表示部材の上縁との間の梁部分の長さをカール状フックのカール内径より小さく形成したことを特徴とする。
【発明の効果】
【０００７】
本発明の請求項１に係る自動販売機においては、本体キャビネットの前面に開閉可能に配設されると共に商品ディスプレイ室を有する外扉を備え、前記商品ディスプレイ室に設けた取付金具に広告等を表示する表示部材を吊下げ方式に設置し、前記商品ディスプレイ室の透明パネル越しに表示部材を視認可能な自動販売機において、前記取付金具に透明パネルと反対方向に向いたカール状のフックを形成すると共に前記表示部材に前記フックに係合する係合穴を形成し、前記表示部材を前記商品ディスプレイ室の透明パネルに平行な鉛直方向を向いた姿勢の状態でカール状のフックに係合・離脱可能なように、前記係合穴をカール状のフックのカールの鉛直方向長さよりも大きく形成し、かつ、前記係合穴をカール状のフックに係合させた状態で前記表示部材が前記透明パネルから離隔するように傾斜した場合、前記係合穴の縁部がカール状フックのカール内壁を支点として揺動するように、前記係合穴の上縁と表示部材の上縁との間の梁部分の長さをカール状フックのカール内径より小さく形成したことにより、表示部材の着脱はカール状フックのカールと係合穴とを対峙させて係合穴をカールに通すことにより両者を簡単に係合または離脱させることができる。また、表示部材をカール状フックに吊下げた状態で表示部材が風に煽られて揺動した際、表示部材がはためきはするものの表示部材の梁部分がカールから抜け出ることがないので表示部材の脱落を防止することが可能となる。
【発明を実施するための最良の形態】
【０００９】
以下、本発明の実施の形態１を図１〜図４に示す実施例に基づいて説明する。図１は本発明の実施の形態である自動販売機の全体構成を示す正面図、図２は自動販売機の外扉の背面図、図３は取付金具と表示部材との結合状態を示し、（ａ）は外扉上部を概略的に示す側面図、（ｂ）は取付金具と表示部材の要部であるフックと係合穴の結合部分を拡大して示す斜視図、図４はフックと係合穴の作用を示す説明図であり、（ａ）は表示部材がフックに係合して垂下した状態、（ｂ）は表示部材が風により揺動した状態を示すものである。
図１に示す実施の形態１の自動販売機は硬貨若しくは紙幣などの現金を投入し、その投入金額が商品の販売価格と一致するなどの条件を満たした場合に商品の販売を可能とし、商品選択ボタンが操作されることにより缶入り飲料、ビン入り飲料、ペットボトル入り飲料などの商品の販売を行うものであり、図において、１は断熱材で囲まれた庫内に缶入り飲料などの商品を格納した本体キャビネットであり、本体キャビネット１の庫内には、断熱仕切壁により左右方向に複数の商品収納室に区分され、各商品収納室は、缶入り飲料などの商品を収納するとともにその下端に、商品選択ボタンの操作により商品を搬出する商品払出機構を有する商品収納ラックが収設され、また、各商品収納室の下部には、当該各商品収納室を冷却もしくは加熱して商品収納ラックに収納した商品を冷蔵・温蔵状態に保存する冷却／加熱ユニットが配設されている。なお、現金を用いることなく、ＩＣカードに現金の情報を記憶しておき、自動販売機の前面に設けたアンテナ部とデータの授受を行ういわゆる電子マネーにより商品を販売するものもある。
【００１０】
２は本体キャビネット１の前面にヒンジ２ａにより開閉自在に装着された外扉である。この外扉２の前面の上部域は透明パネル３で覆われた商品ディスプレイ室４として形成されている。前記外扉２は、図２に示すように、厚板鋼板からなる上枠２１，右枠２２（自動販売機の正面から見た場合であり、図２では左側に位置している），左枠２３（同前）および不図示の下枠をそれぞれ溶接により接合した薄い箱体として形成されおり、前記上枠２１，右枠２２，左枠２３にそれぞれ固定された薄板鋼板からなるパネル押え金具２４〜２６により透明パネル３が取り付けられている。
前記商品ディスプレイ室４は前記透明パネル３と、前記透明パネル３の背面に位置し、かつ、前記外扉２にヒンジ結合されるともに本体キャビネット１の庫内に収納した商品に対応した複数の商品見本６を左右に一列に並べて載置したディスプレイ台５（図では３段）を固定してなるディスプレイ扉（参照符号なし）との間に形成されており、前記ディスプレイ扉は常時は外扉に係止して閉じられている。また、前記透明パネル３には、各ディスプレイ台５と対峙する位置に商品選択ボタンユニット７が設けられ、商品選択ボタンユニット７は、ディスプレイ台５に載置された各商品見本６に対応して左右に一列に並べて設けた商品選択ボタン７aを有している。前記外扉２のディスプレイ室４の下方には操作パネル８が設けられ、この操作パネル８には硬貨投入口８１、紙幣投入口８２、返却レバー８３、投入金額，庫内温度，販売中，準備中などの各種情報をディスプレイに表示する販売情報表示部８４、シリンダー錠付きの主ロック装置Ｌ１およびシリンダー錠付きの補助ロック装置Ｌ２が組付けられている。また、前記外扉２の前面には釣銭返却口８５、商品販売口８６、広告情報を表示する広告展示部８７が配設されている。なお、ディスプレイ室４の上部およびディスプレイ台５の下部には商品見本６などを明るく照らす照明光源としての蛍光灯（不図示）が配設されている。
【００１１】
かかる自動販売機は前記本体キャビネット１の前面を閉塞するように外扉２を閉じた状態においてキー操作により補助ロック装置Ｌ１および主ロック装置Ｌ２を施錠して外扉２を閉じた状態で商用電源からの電力供給を受けて商品ディスプレイ室４内の蛍光灯を点灯制御することにより商品見本６などを明るく照らし出すとともに冷却／加熱ユニットを運転制御することにより庫内の商品を冷却／加熱する。硬貨または紙幣が投入されると不図示のコインメカニズムまたは紙幣識別装置で識別して投入金額を積算して販売情報表示部８４に表示するととともに前記投入金額と商品販売価格とを比較して商品選択ボタン７ａの販売可能ランプを点灯制御する。商品選択ボタン７ａが操作されると対応する商品収納ラックに搭載された商品払出機構に販売信号が供給され、この販売信号に基づいて前記商品払出機構はソレノイドの励磁・釈放動作により商品収納ラックに収納した商品を１個づつ搬出する。なお、投入金額と商品販売価格とを演算して投入金額が商品販売価格を超えている場合にはコインメカニズムを制御して釣銭硬貨を払い出す。
さて、図１において１０は前記商品ディスプレイ室４の内部に設置された会社名・商品名を表すロゴタイプや広告等を表示する表示部材である。この表示部材１０は前記商品ディスプレイ室４の透明パネル３を介して視認可能である。図２に示すように、表示部材１０はパネル押え金具２４に固着された取付金具１２に吊下げて設置されている。
【００１２】
図３は前記取付金具１２に吊り下げられた表示部材１０の箇所を拡大して示し、この図３を用いて表示部材１０および取付金具１２を説明する。図３において、２１は外扉２の外周枠を構成する上枠であり、この上枠２１にパネル押え金具２４がねじにより固着されている。ここで、パネル押え金具２４はその先端２４１と上枠２１との間に透明パネル３を挟み付けてＶ字状の折り曲げ部の復元力で透明パネル３を前面側に押圧している。なお、２７は透明パネル３の周囲に配設されたクッションである。
前記取付金具１２は薄板鋼板により左右に細長い短冊状に形成され、その短冊状の胴部に形成されたねじ穴１２３を介してパネル押え金具２４にねじにより固着されている。前記取付金具１２の下端には左右一対のフック１２１が形成され、このフック１２１は浅いＶ字形に折り曲げられるとともに自由端側の脚部に切り起しによりストッパ１２２が形成されている。一方、表示部材１０は合成樹脂により矩形に形成され、前面側に会社名・商品名を表すロゴタイプや広告等が印刷されている。前記表示部材１０には上縁に近接して左右一対の係合穴１１が穿孔されている。この係合穴１１の横幅は前記フック１２１の横幅より大きく、その高さＴ１はフック１２１における自由端側の脚部の鉛直方向高さｔ１よりも僅かに大きく形成されている。また、前記フック１２１のストッパ１２２の先端と取付金具１２の胴部との間の寸法ｔ２は表示部材１０の係合穴１１の上縁と表示部材１０の上縁との間の梁部分１０ａの寸法Ｔ２よりも小さい寸法に定められている。
【００１３】
次に、実施の形態１の自動販売機における表示部材１０の取付金具１２への着脱について説明する。前記表示部材１０を取付金具１２に装着するに当たり、外扉２を開放した後外扉２に係止されたディスプレイ扉を開放して取付金具１２を露出させる。次いで、表示部材１０を透明パネル３に平行に沿うように鉛直方向を向いた姿勢で取付金具１２の背後に位置させ、表示部材１０の係合穴１１を取付金具１２のフック１２１に対峙させる。この場合、係合穴１０の横幅がフック１２１の横幅より大きく、かつ、その高さＴ１がフック１２１における自由端側の脚部の鉛直方向高さｔ１よりも僅かに大きく形成されていることから、表示部材１０を透明パネル３に平行な姿勢のまま前方に移動させれば係合穴１１をフック１２１の自由端側の脚部が貫通する。そして、表示部材１０の係合穴１１の上縁をフック１２１のストッパ１片２２に乗せた状態で表示部材１０を前方に押し込むと、係合穴１１の上縁がストッパ１２２上を滑動して前方に移動し、ストッパ１２２の自由端を越えた時点で表示部材１０は下降してフック１２１に係合する。なお、表示部材１０をフック１２１に係合させて吊下げた状態において、フック１２１と係合穴１１の係合部および係合穴１１は外扉２０に隠れて自動販売機の前面からは見えないものである。
ここで、前記フック１２１のストッパ１２２の先端と取付金具１２の胴部との間の寸法ｔ２は表示部材１０の梁部分１０ａの寸法Ｔ２よりも小さい寸法に定められているが、表示部材１０が透明パネル３に平行な状態、すなわち、表示部材１０が鉛直方向を向いた姿勢にある場合においては、表示部材１０の梁部分１０ａの寸法Ｔ２に対して、ストッパ１２２の先端を通る鉛直線が取付金具１２の胴部と交わる交点とストッパ１２２の自由端部（先端）との間の寸法が大きくなるように定められていることから、表示部材１０の係合穴１１の上縁をフック１２１のストッパ１２２に乗せて垂下させた状態のままで表示部材１０を、その係合穴１１の上縁がストッパ１２２の先端を越えて下降するまで押し込む過程で表示部材１０の上縁が取付金具１２の胴部に当接することがない。従って、表示部材１０をフック１２１に簡単に装着することができる。なお、表示部材１０の取り外しは前述した動作と逆に表示部材１０を垂下状態のままの姿勢で上方に移動させ、次いで、表示部材１０を背面方向に移動させて係合穴１１をフック１２から外せばよい。
【００１４】
前述したように表示部材１０をフック１２１に係合させた状態において表示部材１０が風に煽られると（特に下方からの風）、図４に示すように、表示部材１０は透明パネル３との間に吹き込んだ風によってフック１２１を支点に揺動して傾斜する。表示部材１０が傾斜すると透明パネル３との間および下方からの風を受け易くなるのでさらに大きく傾斜し、風力が表示部材１０の重量に勝ると表示部材１０の係合穴１１の上縁がフック１２１の自由端側の脚片を滑動しながら表示部材１０は透明パネル３から離れるように移動する。更に、風に煽られて移動した表示部材１０の上縁がストッパ１２２に当接すると表示部材１０がその上縁を支点として揺動するようになり、この揺動により係合穴１１の上縁がフック１２１の自由端側の脚部に当接すると表示部材１０はそれ以上の揺動が阻止される。また、表示部材１０の上縁がストッパ１２２に当接する以前に表示部材１０が水平方向に傾いた場合には表示部材１０の梁部分１０ａがストッパ１２２に当接すると表示部材１０は風によりはためくもののストッパ１２２により梁部分１０ａが保持されるのでフック１２１から脱落することはない。
なお、フック１２１に係合して垂下状態にある表示部材１０が風に煽られた場合、表示部材１０は透明パネル３との間に吹き込まれる風によりフック１２１との係合部側（表示部材１０の上端側）に対して表示部材１０の下端側が透明パネル３から大きく離れるように揺動するものであり、フック１２１に係合して垂下状態（鉛直方向を向く姿勢）にある表示部材１０が下方からの風に煽られたとしても鉛直方向を向く姿勢のまま鉛直方向に上昇することはない。従って、表示部材１０は垂下状態（鉛直方向を向く姿勢）のまま鉛直方向に上昇する外力（表示部材１０を取り外す際の力）が加えられない限り、フック１２１から脱落することはない。また、表示部材１０が揺動して傾いた状態で突風により係合穴１１の上縁がフック１２１から離れるように上昇したとしても、フック１２１のストッパ１２２の先端と取付金具１２の胴部との間の寸法ｔ２は表示部材１０の梁部分１０ａの寸法Ｔ２よりも小さい寸法に定められていることから、表示部材１０の梁部分１０ａがストッパ１２２を摺り抜けようとする以前に、表示部材１０の上縁が取付金具１２の胴部に当接する。これによって、表示部材１０の梁部分１０ａがストッパ１２２を摺り抜けることがなく表示部材１０がフック１２１から外れて脱落することはない。
【００１５】
前述した実施の形態１に係る自動販売機においては、本体キャビネット１の前面に開閉可能に配設されると共に商品ディスプレイ室４を有する外扉２を備え、前記商品ディスプレイ室４に設けた取付金具１２に広告等を表示する表示部材１０を吊下げ方式に設置し、前記商品ディスプレイ室４の透明パネル３越しに表示部材１０を視認可能な自動販売機において、前記取付金具１２にフック１２１を形成するとともに表示部材１０に前記フック１２１に係合する係合穴１１を形成し、前記フック１２１にストッパ１２２を設け、前記係合穴１１をフック１２１の鉛直方向長さよりも大きく形成したことにより、表示部材１０の着脱はフック１２１と係合穴１１とを対峙させて係合穴１１にフック１２１を通すことにより両者を簡単に係合または離脱させることができる。また、表示部材１０をフック１２１に吊下げた状態で表示部材１０が風に煽られて揺動したとしてもフック１２１のストッパ１２２が表示部材１０の梁部分１０ａを保持するので、これにより表示部材１０が脱落するのを防止することができるものである。
次に、本発明の実施２の形態２を図５および図６に示す実施例に基づいて説明する。図５は本発明の実施の形態２である自動販売機の取付金具と表示部材の斜視図、図６は図５の要部を示すフックと係合穴の拡大図である。なお、自動販売機の全体構成は実施の形態１の図１および図２に示すものと同一であり、重複した説明を避けるためにここでは記載を省略している。
【００１６】
図５および図６に示した実施の形態２における取付金具１３は薄板鋼板により左右に細長い短冊状に形成され、その短冊状の胴部に形成されたねじ穴１３２を介してパネル押え金具２４（図２、図３参照）にねじにより固着されている。前記取付金具１３の下端には左右一対のカール状に形成されたフック１３１が形成されている。なお、前記フック１３１はカール状に形成されていることからここではカールと呼ぶこととする。一方、表示部材１０は実施の形態１と同様に合成樹脂により矩形に形成され、前面側に会社名・商品名を表すロゴタイプや広告等が印刷されているとともにその上縁に近接して左右一対の係合穴１１が穿孔されている。この係合穴１１の横幅は前記カール１３１の横幅より大きく、その高さＴ１はカール１３１の外壁の直径よりも僅かに大きく形成されている。また、前記カール１３１の内壁の直径は表示部材１０の梁部分１０ａの寸法Ｔ２よりも大きい寸法に定められている。更に、カール１３１の先端と取付金具１３の胴部との間の寸法は前記Ｔ２よりも小さく、表示部材１０の板厚よりも大きく定められている。
次に、実施の形態２の自動販売機における表示部材１０の取付金具１３への着脱について説明する。前記表示部材１０を取付金具１３に装着するに当たり、外扉２（図１参照）を開放した後外扉２に係止されたディスプレイ扉を開放して取付金具１３を露出させる。次いで、表示部材１０を透明パネル３に平行に沿うように鉛直方向を向いた姿勢で取付金具１３の背後に位置させ、表示部材１０の係合穴１１を取付金具１３のカール１３１に対峙させる。この場合、係合穴１０の横幅がカール１３１の横幅より大きく、かつ、その高さＴ１がカール１３１の外壁の直径よりも僅かに大きく形成されていることから、表示部材１０を透明パネル３に平行な姿勢のまま前方に移動させればカール１３１が係合穴１１を貫通する。そして、表示部材１０を下降させれば表示部材１０の梁部分１０ａがカール１３１の内部に入り込んで係合する。なお、表示部材１０の取り外しは前述した動作と逆に表示部材１０を垂下状態のままの姿勢で上方に移動させ、次いで、表示部材１０を背面方向に移動させて係合穴１１をカール１３１から外せばよい。
【００１７】
ここで、取付金具１３がパネル押え金具２４（図２、図３参照）に沿って傾斜していることからカール１３１の先端を通る鉛直線上に取付金具１３の胴部が位置している。このため表示部材１０をカール１３１に装着する際に取付金具１３が邪魔になるように思われるが、カール１３１の先端を通る鉛直線が取付金具１３の胴部と交わる交点とカール１３１の先端部との間の寸法を、表示部材１０の係合穴１１の梁部分１０ａの寸法Ｔ２に対して大きく定めることにより表示部材１０を鉛直の姿勢のままカール１３１に装着することができる。なお、カール１３１の先端を通る鉛直線が取付金具１３の胴部と交わる交点とカール１３１の先端部との間の寸法が、表示部材１０の係合穴１１の梁部分１０ａの寸法Ｔ２に対して小さい場合にも表示部材１０の弾性力を利用して表示部材１０を湾曲させることによって装着することができ、また、取付金具１３とカール１３１の連結部分を鉛直に形成するか、取付金具１３を傾斜させることなく鉛直に配設すれば表示部材１０の装着時に取付金具１３が邪魔となることはない。従って、カール１３１の先端を通る鉛直線が取付金具１３の胴部と交わる交点とカール１３１の先端部との間の寸法を、表示部材１０の係合穴１１の梁部分１０ａの寸法Ｔ２に対して大きく定める点は本発明に必須の事項ではない。
【００１８】
この実施の形態２における取付部材１３のカール１３１は実施の形態１におけるフック１２１とストッパ１２２の機能を兼ね備えるものである。従って、表示部材１０が風に煽られた場合における表示部材１０とカール１３１との関係は実施の形態１と略同様であるので重複する説明はここでは省略して簡単な説明に止めることとする。表示部材１０をカール１３１に係合させた状態において表示部材１０が風に煽られると（特に下方からの風）、表示部材１０は透明パネル３との間に吹き込んだ風によってカール１３１を支点に揺動して傾斜するが、表示部材１０の梁部分１０ａがカール１３１に保持されていることによりはためきはするもののカール１３１から脱落することはない。そして、カール１３１に係合して垂下状態（鉛直方向を向く姿勢）にある表示部材１０が風に煽られたとしても鉛直方向を向く姿勢のまま鉛直方向に上昇することはないことから、表示部材１０は垂下状態の姿勢のまま鉛直方向に上昇する外力（表示部材１０を取り外す際の力）が加えられない限り、カール１３１から脱落することはない。
前述した実施の形態２に係る自動販売機においては、本体キャビネット１の前面に開閉可能に配設されると共に商品ディスプレイ室４を有する外扉２を備え、前記商品ディスプレイ室４に設けた取付金具１３に広告等を表示する表示部材１０を吊下げ方式に設置し、前記商品ディスプレイ室４の透明パネル３越しに表示部材１０を視認可能な自動販売機において、前記取付金具１３にフック、この実施の形態ではカール１３１を形成するとともに表示部材１０前記フックに係合する係合穴１１を形成し、前記係合穴１１をカール１３１の鉛直方向長さよりも大きく形成し、かつ、係合穴１１の梁部分１０ａの長さをカール１３１の内径より小さく形成したことにより、表示部材１０の着脱はカール１３１と係合穴１１とを対峙させて係合穴１１にカール１３１を通すことにより両者を係合または離脱させることができる。また、表示部材１０を吊下げた状態で表示部材１０が風に煽られて揺動したとしても表示部材１０の梁部分１０ａがカール１３１から抜け出ることがない。従って、表示部材１０がカール１３１から外れて脱落することはない。
【００１９】
次に、本発明の実施の形態３を図７および図８に示す実施例に基づいて説明する。図７は本発明の実施の形態３である自動販売機の取付金具と表示部材の要部であるフックと係合穴の結合部分を拡大して示す斜視図、図８は外扉上部を概略的に示す側面図である。なお、自動販売機の全体構成は実施の形態１の図１および図２に示すものと同一であり、重複した説明を避けるためにここでは記載を省略している。また、図８において、図３と同一の部材には同一の符号を付し、その説明を省略する。
図７および図８に示した実施の形態３における取付金具１４は薄板鋼板により左右に細長い短冊状に形成され、その短冊状の胴部に形成されたねじ穴１４２を介してパネル押え金具２４（図２、図３参照）にねじにより固着されている。前記取付金具１４の下端には左右一対のＵ字状のフック１４１が形成されている。一方、表示部材１０は実施の形態１と同様に合成樹脂により矩形に形成され、前面側に会社名・商品名を表すロゴタイプや広告等が印刷されているとともにその上縁に近接して左右一対の係合穴１１が穿孔されている。この係合穴１１の横幅は前記フック１４１の横幅より大きく、その高さＴ１はフック１４１の自由端側の脚片よりも僅かに大きく形成されている。また、前記フック１４１のＵ字状の両脚片の間の寸法は表示部材１０の板厚より僅かに大きな寸法に定められている。
【００２０】
次に、実施の形態３の自動販売機における表示部材１０の取付金具１４への着脱について説明する。前記表示部材１０を取付金具１４に装着するに当たり、外扉２（図１参照）を開放した後外扉２に係止されたディスプレイ扉を開放して取付金具１４を露出させる。次いで、表示部材１０を透明パネル３に平行に沿うように鉛直方向を向いた姿勢で取付金具１４の背後に位置させ、表示部材１０の係合穴１１を取付金具１４のフック１４１に対峙させる。この場合、係合穴１０の横幅がフック１４１の横幅より大きく、かつ、その高さＴ１がフック１４１の自由端側の脚片の長さよりも僅かに大きく形成されていることから、表示部材１０を透明パネル３に平行な姿勢のまま前方に移動させればフック１４１が係合穴１１を貫通する。そして、表示部材１０を下降させれば表示部材１０の梁部分１０ａがフック１４１の内部に入り込んで係合し、フック１４１の両脚片により表示部材１０の梁部分１０ａが保持される。なお、表示部材１０の取り外しは前述した動作と逆に表示部材１０を垂下状態のままの姿勢（鉛直方向を向く姿勢）で上方に移動させ、次いで、表示部材１０を背面方向に移動させて係合穴１１をフック１４１から外せばよい。
前述したように表示部材１０をフック１４１に係合させた状態において表示部材１０が風に煽られると表示部材１０は透明パネル３との間に吹き込んだ風によってフック１４１を支点に揺動しようとする。しかしながら、フック１４１のＵ字状の両脚片の間の寸法が表示部材１０の板厚より僅かに大きな寸法に定められていることから表示部材１０がフック１４１を支点に揺動しようとすると表示部材１０の梁部分１０ａがフック１４１の両脚片に直ちに当接するので表示部材１０が揺動することはない。従って、表示部材１０が風に煽られた場合にも表示部材がはためくこともなく、フック１４１から脱落することもない。
【００２１】
なお、実施の形態３におけるフック１４１はそのＵ字状の両脚片の間の寸法が表示部材１０の板厚より僅かに大きな寸法となるように折り曲げて形成したものについて説明したが、表示部材１０の板厚が小さい場合、或いは取付金具１４の板厚が厚い場合にはフック１４１のＵ字状の両脚片の間の寸法が表示部材１０の板厚より僅かに大きな寸法となるように折り曲げることが困難なことがある。この場合には、フック１４１の両脚片の間の寸法を表示部材１０の板厚より大きく形成し、両脚片の内壁に隙間調整部材を固着してフック１４１の両脚片の間の寸法を調整すればよい。
前述した実施の形態３に係る自動販売機においては、本体キャビネット１の前面に開閉可能に配設されると共に商品ディスプレイ室４を有する外扉２を備え、前記商品ディスプレイ室４に設けた取付金具１４に広告等を表示する表示部材１０を吊下げ方式に設置し、前記商品ディスプレイ室４の透明パネル３越しに表示部材１０を視認可能な自動販売機において、前記取付金具１４にフック１４１を形成するとともに表示部材１０に前記フック１４１に係合する係合穴１１を形成し、前記フック１４１を略Ｕ字状に折り曲げて形成し、前記係合穴１１をフック１４１の鉛直方向長さよりも大きく形成し、前記フック１４１のＵ字状両脚片の間の幅を前記表示部材１０の厚みより僅かに大きく形成したことにより、表示部材１０の着脱はフック１４１と係合穴１１とを対峙させてフック１４１を係合穴１１に通すことにより両者を係合または離脱させることができる。また、表示部材１０を取付金具１４のフック１４１に吊下げた状態で表示部材１０が風に煽られたとしてもフック１４１が表示部材１０を挟み付けて保持していることから表示部材１０は揺動することがなく、これにより表示部材１０が脱落することはない。
【００２２】
次に、本発明の実施の形態４を図９および図１０に示す実施例に基づいて説明する。図９は本発明の実施の形態４である自動販売機の取付金具と表示部材の要部であるフックと係合穴の結合部分を拡大して示す斜視図、図１０は外扉上部を概略的に示す側面図である。なお、自動販売機の全体構成は実施の形態１の図１および図２に示すものと同一であり、重複した説明を避けるためにここでは記載を省略している。また、図１０において、図３と同一の部材には同一の符号を付し、その説明を省略する。
図９および図１０に示した実施の形態４における取付金具１５は薄板鋼板により左右に細長い短冊状に形成され、その短冊状の胴部に形成されたねじ穴１５２を介してパネル押え金具２４（図１０参照）にねじにより固着されている。前記取付金具１５の下端には左右一対のクリップ状に形成されたフック１５１が形成されている。なお、前記フック１５１はクリップ状に形成されていることからここではクリップと呼ぶこととする。一方、表示部材１０は実施の形態１と同様に合成樹脂により矩形に形成され、前面側に会社名・商品名を表すロゴタイプや広告等が印刷されているとともにその上縁に近接して左右一対の係合穴１１が穿孔されている。この係合穴１１の横幅は前記クリップ１５１の横幅より大きく、その高さＴ１はクリップ１５１における自由端側の脚部の鉛直方向高さｔ３よりも僅かに大きく形成されている。また、前記クリップ１５１の内部空間の鉛直方向高さｔ４は表示部材１０の梁部分１０ａの寸法Ｔ２よりも大きい寸法に定められている。
【００２３】
次に、実施の形態４の自動販売機における表示部材１０の取付金具１５への着脱について説明する。前記表示部材１０を取付金具１５に装着するに当たり、外扉２（図１参照）を開放した後外扉２に係止されたディスプレイ扉を開放して取付金具１５を露出させる。次いで、表示部材１０を透明パネル３に平行に沿うように鉛直方向を向いた姿勢で取付金具１５の背後に位置させ、表示部材１０の係合穴１１を取付金具１５のクリップ１５１に対峙させる。この場合、係合穴１０の横幅がクリップ１５１の横幅より大きく、かつ、その高さＴ１がクリップ１５１における自由端側の脚部の鉛直方向高さｔ３よりも僅かに大きく形成されていることから、表示部材１０を透明パネル３に平行な姿勢のまま前方に移動させればクリップ１５１が係合穴１１を貫通する。そして、表示部材１０を下降させれば表示部材１０の梁部分１０ａがクリップ１５１の内部に入り込んで係合する。なお、表示部材１０の取り外しは前述した動作と逆に表示部材１０を垂下状態のままの姿勢で上方に移動させ、次いで、表示部材１０を背面方向に移動させて係合穴１１をクリップ１５１から外せばよい。
前述したように表示部材１０をクリップ１５１に係合させた状態において表示部材１０が風に煽られると表示部材１０は透明パネル３との間に吹き込んだ風によってクリップ１５１を支点に揺動して傾斜するが、表示部材１０の梁部分１０ａがクリップ１５１に保持されていることによりはためきはするもののクリップ１５１から脱落することはない。そして、クリップ１５１に係合して垂下状態（鉛直方向を向く姿勢）にある表示部材１０が風に煽られたとしても鉛直方向を向く姿勢のまま鉛直方向に上昇することはないことから、表示部材１０は垂下状態の姿勢のまま鉛直方向に上昇する外力（表示部材１０を取り外す際の力）が加えられない限り、クリップ１５１から脱落することはない。
【００２４】
前述した実施の形態４に係る自動販売機においては、本体キャビネット１の前面に開閉可能に配設されると共に商品ディスプレイ室４を有する外扉２を備え、前記商品ディスプレイ室４に設けた取付金具１４に広告等を表示する表示部材１０を吊下げ方式に設置し、前記商品ディスプレイ室４の透明パネル３越しに表示部材１０を視認可能な自動販売機において、前記取付金具１５にフック、この実施の形態ではクリップ１５１を形成するとともに表示部材１０に前記クリップ１５１に係合する係合穴１１を形成し、前記係合穴１１をクリップ１５１の鉛直方向長さよりも大きく形成したことにより、表示部材１０の着脱はクリップ１５１と係合穴１１とを対峙させて係合穴１１にクリップ１５１を通すことにより両者を簡単に係合または離脱させることができる。また、表示部材１０をクリップ１５１に吊下げた状態で表示部材１０が風に煽られて揺動した際、表示部材１０がはためきはするものの表示部材１０の梁部分１０ａがクリップ１５１から抜け出ることがないことので表示部材１０の脱落を防止することが可能となる。
前述した各実施の形態の自動販売機においては、取付金具１２〜１５にフック１２１，１４１（カール１３１，クリップ１５１）を設け、表示部材１０に係合穴１１を設けたものについて説明したが、前記フックと係合穴は相対的なものであって、フックを表示部材に設け、係合穴を取付金具に設けることもできる。
【産業上の利用分野】
【００２５】
以上に説明した本発明に係る自動販売機は缶入り飲料、ペットボトル入り飲料等の商品を販売する自動販売機に加えてたばこなどの物品を販売する自動販売機、機体内に貯蔵若しくは原料から調理製造した飲料や食品を販売する自動販売機などに有用である。
【図面の簡単な説明】
【００２６】
【図１】本発明の実施の形態１の全体構成を示す自動販売機の正面図である。
【図２】図１の自動販売機における外扉の背面図である。
【図３】図２の取付金具と表示部材との結合状態を示し、（ａ）は外扉上部を概略的に示す側面図、（ｂ）は取付金具と表示部材の要部であるフックと係合穴の結合部分を拡大して示す斜視図である。
【図４】図３のフックと係合穴の作用を示す説明図であり、（ａ）は表示部材がフックに係合して垂下した状態、（ｂ）は表示部材が風により揺動した状態の説明図である。
【図５】本発明の実施の形態２である自動販売機の取付金具と表示部材の斜視図である。
【図６】図５の要部を示すフックと係合穴の拡大図である。
【図７】本発明の実施の形態３の自動販売機における取付金具と表示部材の要部であるフックと係合穴の結合部分を拡大して示す斜視図である。
【図８】外扉の上部を概略的に示す側面図である。
【図９】本発明の実施の形態４である自動販売機の取付金具と表示部材の要部であるフックと係合穴の結合部分を拡大して示す斜視図である。
【図１０】外扉の上部を概略的に示す側面図である。
【符号の説明】
【００２７】
１    本体キャビネット
２    外扉
３    透明パネル
４    商品ディスプレイ室
５    ディスプレイ台
６    商品見本
７    商品選択ボタンユニット
７ａ    商品選択ボタン
１０    表示部材
１１    係合穴
１０ａ    梁部分
１２、１３、１４、１５    取付金具
１２１、１４１    フック
１３１    フック（カール）
１５１    フック（クリップ）
【図１】
0004930445.tif 000002
【図２】
0004930445.tif 000003
【図３】
0004930445.tif 000004
【図４】
0004930445.tif 000005
【図５】
0004930445.tif 000006
【図６】
0004930445.tif 000007
【図７】
0004930445.tif 000008
【図８】
0004930445.tif 000009
【図９】
0004930445.tif 000010
【図１０】
0004930445.tif 000011